(57)【要約】【課題】  反射モードと透過モードとで実色再現範囲の差を小さくすることの可能な、半透過型の液晶表示装置を提供する。【解決手段】  本表示装置では、透過表示に用いられるバックライト３６の色温度が、周囲光よりも高くなっている。そこで、本表示装置では、反射領域ａと透過領域ｂとの液晶層１３の厚さを調整することで、分光反射率の最大となる波長（最大反射波長）を、分光透過率の最大となる波長（最大透過波長）よりも短くしている。これにより、外部に出力される反射表示光のスペクトルを、短波長側（高温側）にシフトさせられる。従って、本表示装置では、反射表示光のホワイトバランスを短波長側にずらし、透過表示光のホワイトバランスと同等とすることが可能となっている。【選択図】  図１
2006010854.tif 000002
【特許請求の範囲】
【請求項１】
バックライトおよび反射材を備え、反射領域と透過領域との双方によって画像を表示する液晶表示装置において、
分光反射率の最大となる光の波長である最大反射波長が、分光透過率の最大となる波長である最大透過波長よりも短くなっていることを特徴とする液晶表示装置。
【請求項２】
反射領域と透過領域との液相層の厚さが、上記の最大反射波長が最大透過波長よりも短くなるように設計されていることを特徴とする請求項１に記載の液晶表示装置。
【請求項３】
周囲光を反射材で反射させて得られる表示光のホワイトバランスと、バックライトを光源とする表示光のホワイトバランスとの差が、１０００Ｋ以下であることを特徴とする請求項１に記載の液晶表示装置。
【請求項４】
周囲光を反射材で反射させて得られる表示光のホワイトバランスと、バックライトを光源とする表示光のホワイトバランスとの差が、５００Ｋ以下であることを特徴とする請求項１に記載の液晶表示装置。
【請求項５】
バックライトおよび反射材を備え、反射領域と透過領域との双方によって画像を表示する液晶表示装置を製造するための方法において、
分光反射率の最大となる光の波長である最大反射波長を、分光透過率の最大となる波長である最大透過波長よりも短くすることを特徴とする液晶表示装置の製造方法。
【発明の詳細な説明】
【技術分野】
【０００１】
本発明は、反射領域と透過領域との双方によって画像を表示する液晶表示装置に関するものである。
【背景技術】
【０００２】
現在、液晶表示装置は、モニター，プロジェクタ，携帯電話，携帯情報端末（ＰＤＡ）などの電子機器に幅広く利用されている。
このような液晶表示装置には、反射型，透過型，半透過型の３種類がある。
すなわち、反射型の液晶表示装置は、表示パネルの内部に照明光（外光）を導き、これを反射層で反射することによって表示光を得るものである。
また、透過型の液晶表示装置は、表示パネルの奥側に設けられた光源（バックライト）からの光を、表示パネルを介して外部に出力する構成である。
【０００３】
さらに、半透過型の表示装置は、屋内などの比較的に暗い照明下（屋内；暗所）では、バックライト光を利用して透過表示を行う（透過モード）。一方、屋外などの比較的に明るい照明下（屋外；明所）では、照明光を利用して反射表示を行う（反射モード）ものである。これにより、周囲の明るさに拘らず、コントラスト比の高い表示を実現できる。
すなわち、半透過型の液晶表示装置は、屋内外を問わず、あらゆる照明下（光環境下）での表示が可能であるため、携帯電話、ＰＤＡ、デジタルカメラ等のモバイル機器に多く搭載されてきている。
【０００４】
このような半透過の型液晶表示装置では、液晶パネルに、反射モードに使用される反射領域（反射表示領域）と、透過モードに使用される透過領域（透過表示領域）との２種類の表示領域が形成されている。
【０００５】
そして、透過領域では、バックライトから照射された光が、液晶層およびカラーフィルタを１回だけ通過して外部に出力される。
一方、反射領域では、液晶層・カラーフィルタを透過した外光を反射板で反射し、再びカラーフィルタ・液晶層を通過して外部に出力される。
【０００６】
このように、透過領域と反射領域とでは、表示にかかる光におけるカラーフィルタ・液晶層の通過回数が異なる。
このため、従来、反射モードと透過モードとの光学特性を整合させるため、反射領域の液晶層の厚みを、透過領域よりも小さく設定していた（特許文献１・２）。
【０００７】
さらに、反射モードと透過モードとの色特性（ホワイトバランス）を整合させる技術も開発されている。
ここで、ホワイトバランスは、表示装置によって表示される白色の色相であり、表示装置にとって重要な表示性能のひとつである。
【０００８】
このようなホワイトバランスの整合のために、従来では、透過領域と反射領域とで、カラーフィルタの色剤を変えたり、着色層の膜厚を変えたりする技術が開発されている。
【０００９】
また、特許文献３には、反射領域に、透過領域と同じカラーフィルタ（色剤）を備える技術が開示されている。
この技術では、反射領域に、カラーフィルタを形成した領域と形成していない領域（透過率の高い色剤を形成した領域）とを混在させるようになっている。これにより、この技術では、反射領域と透過領域とにおける、カラーフィルタのホワイトバランス（フィルタバランス）の差を小さくするようになっている。
【００１０】
なお、液晶表示装置の表示画面によって観察者が視認する光のホワイトバランス（実バランス）は、フィルタバランスに加えて、光源から照射される光の光学特性（色温度）に応じたものとなる。
【特許文献１】特開平１１−２４２２２６（発行日；１９９９年９月７日）
【特許文献２】特開平１１−１０１９９１（発行日；１９９９年４月１３日）
【特許文献３】特開２００２−３６５４２０（発行日；２００２年１２月１８日）
【発明の開示】
【発明が解決しようとする課題】
【００１１】
上記した特許文献３の技術では、反射領域と透過領域とにおけるカラーフィルタ単体としてのホワイトバランス（色度）を合せることはできる。
しかしながら、この技術では、反射モード（明所）と透過モード（暗所）とで光源（自然光とバックライト）の色温度が異なるため、両モード間で実バランスに大きな差異が生じてしまうという問題があった。
【００１２】
そして、このような差異は、図形表示・文字表示などの色を重視しない表示については大きな問題にならないが、自然画のＴＶ映像や写真といった緻密な色映像表示を行う際、大きな障害となっていた。
【００１３】
本発明は、上記のような従来の問題点に鑑みてなされたものである。そして、その目的は、反射モードと透過モードとで実バランスの差を小さくすることの可能な、半透過型の液晶表示装置を提供することにある。
【課題を解決するための手段】
【００１４】
上記の目的を達成するために、本発明の液晶表示装置（本表示装置）は、
バックライトおよび反射材を備え、反射領域と透過領域との双方によって画像を表示する液晶表示装置において、
分光反射率の最大となる光の波長である最大反射波長が、分光透過率の最大となる光の波長である最大透過波長よりも短くなっていることを特徴としている。
【００１５】
本表示装置は、半透過型の液晶表示装置であり、内部に備えられたバックライトを用いた表示（透過表示）と、周囲光を内部の反射材で反射させて得られる光を利用する表示（反射表示）との双方を行うものである。
【００１６】
すなわち、本表示装置では、１つの画素が、透過領域と反射領域とを備えた構成となっている。
そして、本表示装置において観察者が見る光は、バックライトを光源とした透過領域からの表示光（透過表示光；バックライトを光源とする表示光）と、周囲光を光源とした反射領域からの表示光（反射表示光；周囲光を反射材で反射させて得られる表示光）とが、加法的に混色された光である。
【００１７】
従って、屋内などの比較的暗い光環境下（暗所）では、バックライトによる透過表示光の方が、周囲光による反射表示光よりも明るくなる。このため、観察者は、ほぼ透過表示光のみを見ることとなる（透過モード）。
一方、屋外などの強い周囲光の存在する光環境下（明所）では、反射表示光の方が透過表示光よりも明るくなる。このため、観察者は、ほぼ反射表示光のみを見ることとなる（反射モード）。
【００１８】
ところで、本表示装置のような半透過型の液晶表示装置では、反射モードと透過モードとのホワイトバランスの差を小さくすることが好ましい。
このホワイトバランスとは、表示装置によって表示される白色の色相であり、表示装置にとって重要な表示性能のひとつである。
また、ホワイトバランスは、通常、色温度（白表示の色温度）で表現されることが多く、ＴＶ映像などを表示する装置では、６５００Ｋ以上のホワイトバランスが必要とされている。
【００１９】
なお、一般的な液晶表示装置では、光は、偏光板、透明電極、カラーフィルタ、配向膜などの各層を通過する。このとき、前述の構成部材が黄色っぽい（黄色がかっている）ため、白色光を光源とすると、ホワイトバランスも黄味がかり、その色温度が低くなる。
【００２０】
このため、透過モードでのホワイトバランスの色温度を高めるために、バックライトとして、色温度の高い青みがかった光を発するものを用いるようになっている。
【００２１】
一方、反射モードでは、周囲光（太陽光や室内光）を表示に利用するため、バックライトの色を調整しても、ホワイトバランスの色温度を高められない。
そこで、従来では、反射領域と透過領域とでカラーフィルタの構成（色剤・膜厚）を変えて、反射モードのホワイトバランスを透過モードのそれに近づける方法が用いられている。
しかしながら、この方法では、反射領域と透過領域とでカラーフィルタを作り分ける必要があるため、製造プロセスが複雑化する。
【００２２】
従って、カラーフィルタの構成（色剤・膜厚）を変えずに、表示方式の分光特性を最適化することにより、反射モードと透過モードとでほぼ同等のホワイトバランスを実現することが好ましいといえる。
ここで、表示方式の分光特性とは、偏光板、位相差板、液晶層などからなる液晶表示方式の分光特性を意味する。
【００２３】
そして、本表示装置では、色温度の高いバックライトの光と色温度の低い周囲光（太陽光や室内光）との差を補償するように、反射領域および透過領域の分光特性を設定している。
すなわち、本表示装置では、最大反射波長（分光反射率の最大となる光の波長）が、最大透過波長（分光透過率の最大となる光の波長）よりも短くなっている。
【００２４】
ここで、分光反射率とは、カラーフィルタのない場合に、本表示装置に外部から入射した光の量と、反射領域で反射されて反射表示光として外部に出力される光の量との比である。
また、分光透過率とは、カラーフィルタのない場合に、バックライトから照射される光の量と、透過領域を透過して透過表示光として外部に出力される光の量との比である。
【００２５】
上記したように、バックライトの光は、周囲光よりも色温度が高い（波長が短い）ものである。
従って、最大反射波長を最大透過波長よりも短くすることで、外部に出力される反射表示光のスペクトルを、短波長側（高温側）にシフトさせられる。
従って、本表示装置では、反射モードの（反射表示光の）ホワイトバランスを、短波長側にずらし、透過モードの（透過表示光の）ホワイトバランスに近づけられるようになっている。
【００２６】
これにより、本表示装置では、バックライトと周囲光との色温度差を容易に補償できる。従って、自然画のＴＶ映像や写真といった緻密な色映像表示を行う場合でも、反射モードと透過モードとで、同様の表示品位を保つことが可能となっている。
【００２７】
また、最大反射波長や最大透過波長の調整については、例えば、反射領域と透過領域との液相層の厚さ（セル厚）を調整する（例えば、反射領域のセル厚を、透過領域のセル厚の半分より小さくする）ことで容易に実現できる。
【００２８】
また、反射モードと透過モードとにおけるホワイトバランスの差については、１０００Ｋ以下とすることが好ましい。また、この差を５００Ｋ以下とすることがより好ましい。
ホワイトバランスの差を上記の範囲内に設定することで、表示品位の劣化を十分に抑制することが可能となる。
【００２９】
また、本発明にかかる液晶表示装置の製造方法は、バックライトおよび反射材を備え、反射領域と透過領域との双方によって画像を表示する液晶表示装置を製造するための方法において、
分光反射率の最大となる光の波長である最大反射波長を、分光透過率の最大となる光の波長である最大透過波長よりも短くすることを特徴とする方法である。
【００３０】
この方法は、上記した本表示装置を製造するための方法である。
従って、この方法を用いて液晶表示装置を製造すれば、反射モードと透過モードとにおけるホワイトバランスの差の小さい、良好な表示を行える液晶表示装置を得ることが可能となる。
【発明の効果】
【００３１】
以上のように、本発明の液晶表示装置（本表示装置）は、
バックライトおよび反射材を備え、反射領域と透過領域との双方によって画像を表示する半透過型の液晶表示装置において、
分光反射率の最大となる光の波長である最大反射波長が、分光透過率の最大となる光の波長である最大透過波長よりも短くなっている構成である。
【００３２】
本表示装置では、色温度の高いバックライトの光と色温度の低い周囲光（太陽光や室内光）との差を補償するように、反射領域および透過領域の分光特性を設定している。
すなわち、本表示装置では、最大反射波長（分光反射率の最大となる光の波長）が、最大透過波長（分光透過率の最大となる光の波長）よりも短くなっている。
これにより、外部に出力される反射表示光のスペクトルを、短波長側（高温側）にシフトさせられる。
【００３３】
従って、本表示装置では、反射モードの（反射表示光の）ホワイトバランスを、短波長側にずらし、透過モードの（透過表示光の）ホワイトバランスに近づけられるようになっている。
【００３４】
これにより、本表示装置では、バックライトと周囲光との色温度差を容易に補償できる。従って、自然画のＴＶ映像や写真といった緻密な色映像表示を行う場合でも、反射モードと透過モードとで、同様の表示品位を保つことが可能となっている。
【発明を実施するための最良の形態】
【００３５】
本発明の一実施形態について説明する。
本実施の形態にかかる液晶表示装置（本表示装置）は、半透過型の表示装置である。すなわち、本表示装置では、屋内などの比較的に暗い照明下では、バックライト光を利用した透過表示が支配的となる（透過モード）。一方、屋外などの比較的に明るい照明下では、バックライトを消して周囲光を利用した反射表示が支配的となる（反射モード）。
【００３６】
まず、本表示装置の構成について説明する。
図１は、本表示装置の概略構成を示す断面図である。
この図に示すように、本表示装置は、対向基板１１と画素基板１２との間に、液晶層１３を挟んだ構成を有している。
【００３７】
また、本表示装置における１画素の領域は、図１に示す反射領域ａと透過領域ｂとを組み合わせた部分である。
ここで、反射領域ａは、反射表示に使用される画素領域（反射表示領域）であり、透過領域ｂは、透過表示に使用される画素領域（透過表示領域）である。
【００３８】
図１に示すように、対向基板１１は、ガラス基板２１の外側に位相差板２２，偏光板２３を備え、また、ガラス基板２１の内側にカラーフィルタ２４を備えた構成である。
位相差板２２は、自身を透過する光の偏光状態を調整するものである。
偏光板２３は、特定の偏光成分の光だけを透過させるものである。
【００３９】
カラーフィルタ２４は、自身を透過する光の色を選択するものである。
すなわち、カラーフィルタ２４は、上記した反射領域ａおよび透過領域ｂ毎に、赤色（Ｒ）フィルタ，青色（Ｂ）フィルタ，緑色（Ｇ）フィルタの３つのフィルタを有している。そして、各Ｒ〜Ｇフィルタは、それぞれ、入射光の赤色成分，青色成分，緑色色成分のみを透過させるようになっている。
【００４０】
また、カラーフィルタ２４は、反射領域ａおよび透過領域ｂの双方において、同一の色剤で構成されており、また、その膜厚もほぼ等しくなっている。
また、カラーフィルタ２４内における画素間に対応する部分には、ブラックマトリクスＢＭが設けられている。
【００４１】
一方、画素基板１２は、ガラス基板３１の外側に位相差板３２，偏光板３３，バックライト（外部光源）３６を備え、また、ガラス基板３１の内側に、凸部３７，反射電極３４および透明電極３５を備えた構成である。
位相差板３２は、位相差板２２と同様に、自身を透過する光の偏光状態を調整するものである。
偏光板２３は、偏光板２３と同様に、特定の偏光成分の光だけを透過させるものである。
【００４２】
バックライト３６は、透過表示において利用される光源である。
反射電極（反射材）３４は、光反射機能を有する電極であり、Ａｌなどの金属から構成される。また、透明電極３５は、ＩＴＯなどの透明な導電材料からなる電極である。
【００４３】
凸部３７は、反射領域ａにおける反射電極３４の下層に配され、反射電極３４を形成するための台となるものである。
また、本表示装置では、この凸部３７により、反射領域ａに対応する液晶層１３と透過領域ｂに対応する液晶層１３と厚み（セル厚）を変えている。
【００４４】
次に、本表示装置の特徴的な構成であるカラーフィルタ２４の、色再現範囲（フィルタ色再現範囲）について説明する。
【００４５】
本表示装置のような半透過型液晶表示装置では、観察者が見る光は、バックライトを光源とした透過領域からの表示光（透過表示光）と、周囲光を光源とした反射領域からの表示光（反射表示光）とが、加法的に混色された光である。
【００４６】
従って、屋内などの比較的暗い光環境下（暗所）では、バックライトによる透過表示光の方が、周囲光による反射表示光よりも明るくなる。このため、観察者は、ほぼ透過表示光のみを見ることとなる（透過モード）。
一方、屋外などの強い周囲光の存在する光環境下（明所）では、反射表示光の方が透過表示光よりも明るくなる。このため、観察者は、ほぼ反射表示光のみを見ることとなる（反射モード）。
【００４７】
また、液晶表示装置の表示色は、カラーフィルタによって生成される。このカラーフィルタは、通常、上記したＲ〜Ｇフィルタを有している。
これらのＲ〜Ｇフィルタは、入射光の赤色成分，青色成分，緑色色成分のみを透過させるものであり、液晶表示装置では、これらＲ〜Ｇフィルタを透過する光量を個別に制限（調整）することによって、多数の色を表示できるようになっている。
【００４８】
また、カラーフィルタには、フィルタ固有の色再現範囲（フィルタ色再現範囲）が設定されている。
ここで、フィルタ色再現範囲について簡単に説明する。
カラーフィルタから出力される光の色は、ＲＧＢの３原色を混合した加法混色によって表現される。そして、この３原色の色座標をｘｙ色度図（ｘｙ色度座標；ＣＩＥに基づく）にプロットしたときに表示される３角形の内部が、フィルタ色再現範囲である。また、フィルタ色再現範囲の狭さ・広さは、上記の３角形の面積に応じたものである。
従って、フィルタ色再現範囲とは、カラーフィルタによって得られる色の濃さに応じたものである。
【００４９】
すなわち、フィルタ色再現範囲の狭い場合には、カラーフィルタによって得られる色は薄い色のみとなる。
一方、フィルタ色再現範囲の広い場合には、カラーフィルタによって濃い色まで表現できる（表示色を多様化できる）。また、フィルタ色再現範囲が広いほど、カラーフィルタを透過する光の量が制限される（光量が減少する）。
【００５０】
なお、半透過型の液晶表示装置では、反射領域からの表示光（反射表示光）は、カラーフィルタを２回通過する。一方、透過領域からの表示光（透過表示光）は、カラーフィルタを１回だけ通過する。
【００５１】
このため、反射領域のフィルタ色再現範囲（反射フィルタ範囲）は、カラーフィルタに光を２回透過させて得られるものである。一方、透過領域のフィルタ色再現範囲（透過フィルタ範囲）は、カラーフィルタに光を１回だけ透過させて得られるものである。
【００５２】
従って、
(a)『反射フィルタ範囲と透過フィルタ範囲とを等しくする』
ようにカラーフィルタを構成すれば、反射領域と透過領域とにおいてカラーフィルタから得られる光の色再現範囲を等しくできる。
この(a)のような関係は、反射領域と透過領域とで、カラーフィルタの色剤や厚さを変えることで実現できる。
【００５３】
しかしながら、液晶表示装置における実際の色再現範囲（表示画面によって観察者が実際に視認する色再現範囲；実色再現範囲）は、フィルタ色再現範囲だけでなく、光シャッターとしての液晶セルの性能であるコントラスト比（表示のコントラスト比）にも依存する。
ここで、実色再現範囲とは、本表示装置から出力される光の３原色の色座標をｘｙ色度図にプロットして得られる３角形の内部のことである（実色再現範囲の狭さ・広さは、上記の３角形の面積に応じたものとなる）。
【００５４】
そして、この実色再現範囲は、コントラスト比が１００以上であれば、フィルタ色再現範囲とほぼ等しくなる。一方、コントラスト比が１００より小さくなると、実色再現範囲は減少する。
従って、上記した(a)の関係が成立していても、反射モード（反射表示が支配的な場合；明所）と透過モード（透過表示が支配的な場合；暗所）とでコントラスト比の異なる場合、実色再現範囲は異なる。
【００５５】
ここで、コントラスト比は、周囲の光環境により変化する。特に透過領域に関しては、暗所でのコントラスト比が１０００であっても、明所では、ほとんどの場合、１０以下に激減する。
【００５６】
これは、液晶表示装置の不要な反射が原因である。この不要な反射とは、液晶表示装置の最表面での反射、および、液晶表示装置の内部の反射である。
最表面の反射は、観察者側に設置されている表示装置の最表面と空気との界面で発生する界面反射である。また、内部反射とは、液晶表示装置を構成している屈折率の異なる各層間での界面反射である。
さらに、液晶セルの光シャッターの機能が十分でない場合には、黒表示時に光洩れを生じ、このこともコントラスト比を低下させる原因となる。
【００５７】
なお、現在の透過領域の光シャッター機能は十分に高いため、黒表示時の光洩れについては無視できる。一方、反射領域では、この光洩れを無視することはできない。
これは、反射表示の光源となる周囲光は、特殊な光環境の場合を除き、あらゆる方向から入射される拡散光（あらゆる方向からほぼ均一に照射される光）であるからである。
【００５８】
すなわち、このように入射した周囲光は、液晶層をさまざまな光路で通過し、観察者に到達する。従って、反射モードでのコントラスト比は、透過モードでのそれよりも低くなり、１０〜５０程度（偏光板を利用した場合で２０〜５０程度）である。
【００５９】
以上をまとめると、以下のようになる。
（１）半透過型液晶表示装置では、屋内などの暗所でバックライトを点灯した場合、観察者に届く光はほぼ全て透過表示光となる（透過モード）。そのコントラスト比は２００以上である。
実色再現範囲は、透過フィルタ範囲（透過領域のカラーフィルタに光を１回だけ透過させて得られる、フィルタ固有（コントラスト比を考慮しない）の色再現範囲）とほぼ等しい。
（２）屋外などの明所では、観察者の見る光は、ほぼ全て反射表示光となる（反射モード）。そのコントラスト比は１０〜５０程度である。
実色再現範囲は、反射フィルタ範囲（透過領域のカラーフィルタに光を２回透過させて得られる、フィルタ固有（コントラスト比を考慮しない）の色再現範囲）よりも小さくなる。
（３）上記した透過フィルタ範囲と反射フィルタ範囲とが等しい場合でも、反射モードと透過モードとでコントラスト比が異なるため、各モードでの実色再現範囲は大きく異なる。
【００６０】
そして、本表示装置では、上記の（１）〜（３）を考慮し、明所（反射モード）での実色再現範囲と暗所（透過モード）での実色再現範囲とを等しくするように、カラーフィルタ２４のフィルタ色再現範囲（反射フィルタ範囲，透過フィルタ範囲）を設計している。
【００６１】
上記したように、本表示装置では、反射領域ａと透過領域ｂとで、同一の色剤料からなる、ほぼ等しい厚さのカラーフィルタ２４を備えている。
そして、カラーフィルタ２４の透過フィルタ範囲は、０．１１４（ＮＴＳＣ比７２％）である。一方、反射表示では同一のカラーフィルタ２４を光が２回透過するため、反射フィルタ範囲は、透過フィルタ範囲より広い０．１４７（ＮＴＳＣ比９３％）となる。
なお、これらのフィルタ色再現範囲は、光源としてＤ６５光源を使用した場合の値である。
【００６２】
図２は、反射モード（明所）でのコントラスト比と、その実色再現範囲との関係を示すグラフである。
この図に示すように、反射表示が支配的となる明所（屋外）における実色再現範囲は、コントラスト比の低下に伴い、反射フィルタ範囲である０．１４７よりも狭くなる。
【００６３】
また、図２中の破線は、透過モード（暗所でバックライト３６を使用した場合）の実色再現範囲（０．１２０；ＮＴＳＣ比７６％）である。
ここで、透過モードでの実色再現範囲が透過フィルタ範囲（０．１１４）よりもわずかに広がっているが、これは、Ｄ６５とバックライト３６との分光特性の違いによる誤差である。
【００６４】
ここで、拡散光源下（あらゆる方向からほぼ均一な光が照射されるような光環境下）での偏光板２３のコントラスト比を４０に設定し、透過モードおよび反射モードでの実色再現範囲を測定した。
その結果、透過モードでの実色再現範囲は、０．１２０（ＮＴＳＣ比７６％）であった。また、反射モードでの実色再現範囲は、０．１２３（ＮＴＳＣ比７７％）であり、両者の差は小さいことが確認された。
【００６５】
なお、透過モードと反射モードとの実色再現範囲の比（実色再現範囲比）が０．７〜１．３（１±３０％）である場合、両者の差は実用的上問題のない程度に小さいといえる。従って、本表示装置では、実色再現範囲比の小さい、良好な表示を行える液晶表示装置となっている。
【００６６】
また、図２より、本表示装置では、反射モードでのコントラスト比を２０〜５０の範囲（２０以上、５０以下）とすることが好ましいといえる。
これにより、実色再現範囲比を０．７〜１．３とできるので、良好な表示を行うことが可能となる。
【００６７】
また、図３は、上記の構成において反射モードでのコントラスト比を３０とした場合における、反射モードでの実色再現範囲（破線）および透過モードでの実色再現範囲（実線）をｘｙ色度図上に示す説明図である。
この図に示すように、両実色再現範囲は、ほとんど同じ範囲で、ほぼ同一の広さを有する多角形（三角形）となっている。
【００６８】
なお、本実施の形態では、カラーフィルタ２４における透過フィルタ範囲を、０．１１４（ＮＴＳＣ比７２％）であるとしている。以下に、透過フィルタ範囲を０．１１４から変えた場合について説明する。
【００６９】
図４は、透過フィルタ範囲を０．０４７（ＮＴＳＣ比３０％）とした場合における、反射モードでのコントラスト比と実色再現範囲との関係を示すグラフである。
【００７０】
前述のように、偏光板を利用した場合、反射モードでのコントラスト比は、ほとんどの場合２０〜５０となる。
そして、図４において、このコントラスト比が２０〜５０の場合、反射モード（明所）での実色再現範囲は、０．０６６（ＮＴＳＣ比４２％）〜０．０８０（ＮＴＳＣ比５０％）となる。一方、透過モード（暗所）での実色再現範囲は、図４に破線で示すように、０．０４６（ＮＴＳＣ比２９％）となる。
【００７１】
従って、反射モードでの実色再現範囲は、透過モードでの実色再現範囲に比して１．３９倍〜１．６８倍となり、両者に大きな差が発生する。
また、図５は、反射モードでのコントラスト比を３０とした場合における、反射モードでの実色再現範囲（破線）および透過モードでの実色再現範囲（実線）をｘｙ色度図上に示す説明図である。
この図に示すように、反射モードでの色再現範囲は、透過モードでの実色再現範囲に比べて、明らかに大きい三角形をなしている。
【００７２】
また、図６は、透過フィルタ範囲を０．０７９（ＮＴＳＣ比５０％）とした場合における、反射モードでのコントラスト比と実色再現範囲との関係を示すグラフである。
【００７３】
前述のように、偏光板を利用した場合、反射モードでのコントラスト比はほとんどの場合２０〜５０となる。
そして、図６に示すように、このコントラスト比が２０〜５０の場合、反射モード（明所）での実色再現範囲は、０．０８６（ＮＴＳＣ比５５％）〜０．１０４（ＮＴＳＣ比６６％）となる。一方、透過モード（暗所）での実色再現範囲は、図６に破線で示すように、０．０７９（ＮＴＳＣ比５０％）となる。
従って、反射モードでの実色再現範囲は、透過モードでの実色再現範囲に比して１．０８倍から１．３１倍となり、両者の差は、実用的上問題のない程度に小さいといえる。
【００７４】
また、図７は、上記の構成において反射モードでのコントラスト比を３０とした場合における、反射モードでの実色再現範囲（破線）および透過モードでの実色再現範囲（実線）をｘｙ色度図上に示す説明図である。
この図に示すように、両実色再現範囲は、ほとんど同じ範囲で、ほぼ同一の広さを有する多角形（三角形）となっている。
【００７５】
このように、反射モードでのコントラスト比が２０〜５０である場合、透過フィルタ範囲を０．０７９（ＮＴＳＣ比５０％）以上とすることにより、透過モードと反射モードとでの実色再現範囲の差を小さくでき、良好な表示を行うことが可能となる。
【００７６】
また、図８は、透過フィルタ範囲を０．０９５（ＮＴＳＣ比６０％）とした場合における、反射モードでのコントラスト比と実色再現範囲との関係を示すグラフである。
【００７７】
前述のように、偏光板を利用した場合、反射モードでのコントラスト比はほとんどの場合２０〜５０となる。
そして、図８に示すように、このコントラスト比が２０〜５０の場合、反射モード（明所）での実色再現範囲は、０．０７９（ＮＴＳＣ比６０％）〜０．１１４（ＮＴＳＣ比７２％）となる。一方、透過モード（暗所）での実色再現範囲は、図８に破線で示すように、０．０９５（ＮＴＳＣ比６０％）となる。
従って、反射モードでの実色再現範囲は、透過モードでの実色再現範囲に比して１．００倍から１．２１倍となり、両者の差は、実用的上問題のない程度に小さいといえる。
【００７８】
また、図９は、上記の構成において反射モードでのコントラスト比を３０とした場合における、反射モードでの実色再現範囲（破線）および透過モードでの実色再現範囲（実線）をｘｙ色度図上に示す説明図である。
この図に示すように、両実色再現範囲は、ほとんど同じ範囲で、ほぼ同一の広さを有する多角形（三角形）となっている。
【００７９】
このように、透過フィルタ範囲の値を広げると、反射モードと透過モードとでの実色再現範囲の差をより小さくできることがわかる。
【００８０】
図１０は、透過フィルタ範囲と、実色再現範囲比（反射モードでの実色再現範囲を透過モードの実色再現範囲で割った値）との関係を示すグラフである。
この図において、実線は、反射モードでのコントラスト比が５０の場合の実色再現範囲比である。一方、破線は、このコントラスト比が２０の場合の実色再現範囲比である。
【００８１】
この図に示すように、反射モードでのコントラスト比が２０〜５０のとき、透過フィルタ範囲を０．０８以上とした場合に、実色再現範囲比を１．３以下とできる。従って、前述したように良好な表示が可能となる。
【００８２】
また、透過フィルタ範囲を広げすぎると、実色再現範囲比をより小さくできるものの、カラーフィルタ２４における光の透過率が小さくなる。このため、表示画像の明るさが低下して、実用上問題がある。
このため、透過フィルタ範囲の上限については、カラーフィルタ２４の透過率を２０％以上とすることが可能な、０．１４以下とすることが好ましい。
【００８３】
また、本実施の形態では、反射領域ａと透過領域ｂとで、同じ色剤からなる、ほぼ同じ厚さのカラーフィルタ２４を使用している。
これにより、本表示装置では、両領域ａ・ｂに異なる構成のカラーフィルタを設ける場合に比して、カラーフィルタ２４の形成プロセスを簡略化できるので、製造コストの低いものとなっている。
【００８４】
なお、実際には、反射領域ａと透過領域ｂとで、カラーフィルタの厚さは、ごくわずかに異なる。この厚さの差は、ブラックマトリクスＢＭの影響で、カラーフィルタ２４を均一な厚さに形成しにくいために生じるものであるが、実質的には無視できる程度である。
【００８５】
このような場合、反射フィルタ範囲は、透過フィルタ範囲に比して、必然的に広くなる。
ここで、反射領域ａと透過領域ｂとで同一構成のカラーフィルタ２４を用いない場合でも、反射フィルタ範囲を、透過フィルタ範囲よりも広くすることが好ましい。
【００８６】
上記したように、反射モードでのコントラスト比は、透過モード時に比べて小さくなる。従って、反射フィルタ範囲を透過フィルタ範囲よりも広くすることで、反射モード（明所）での実色再現範囲を、透過モード（暗所）での実色再現範囲に近づけることが可能となる。
【００８７】
また、本表示装置の構成において、反射領域ａと透過領域ｂとで、カラーフィルタ２４の色剤や厚さを実質的に変えるようにしてもよい。
上記したように、反射領域ａと透過領域ｂとで同様のカラーフィルタ２４を用い、また、反射モードでのコントラスト比が２０〜５０の範囲にある場合には、反射モードでの実色再現範囲が、透過モードでの実色再現範囲よりも大きくなる。また、反射モードでのコントラスト比が大きくなるにつれ、実色再現範囲の差（比）も大きくなる。
従って、実色再現範囲の差（比）を小さくするように、反射領域ａと透過領域ｂとで、カラーフィルタ２４の色剤や厚さを実質的に変えるようにしてもよい。
【００８８】
例えば、偏光板２３の構成を調整し、反射モードでのコントラスト比を５０として、カラーフィルタ２４における透過領域ｂでの膜厚を２．３μｍ、反射領域ａでの膜厚を１．６μｍとしてもよい。
この場合、透過フィルタ範囲を０．１２５（ＮＴＳＣ比７９％）とすると、反射フィルタ範囲は０．１４２（ＮＴＳＣ比９０％）となる。
【００８９】
この構成において、透過モードでの実色再現範囲は、０．１３０（ＮＴＳＣ比８２％）であった。
また、反射モードでの実色再現範囲は、０．１３１（ＮＴＳＣ比８３％）であった。
【００９０】
このように、コントラスト比の大きい場合、カラーフィルタ２４における反射領域ａでの膜厚を透過領域ｂの膜厚よりも薄くすることで、実色再現範囲の差（および実色再現範囲比）を小さくできる。
【００９１】
なお、反射領域ａでのカラーフィルタ２４の膜厚を薄くすると、反射フィルタ範囲は狭くなる。
ここで、上記のようなカラーフィルタ２４の膜厚調整を行う場合には、反射フィルタ範囲が、透過フィルタ範囲よりも狭くならないようにすることが好ましい。
【００９２】
また、本実施の形態では、カラーフィルタ２４が、反射領域ａおよび透過領域ｂ毎に、赤色（Ｒ）フィルタ，青色（Ｂ）フィルタ，緑色（Ｇ）フィルタの３つのフィルタを有するとしている。
このため、本表示装置に関する色再現範囲（フィルタ色再現範囲，実色再現範囲）は、図３等に示したように、ｘｙ色度図（ｘｙ色度座標）で、ＲＧＢの３原色に基づいた３角形によって表される。
【００９３】
しかしながら、カラーフィルタ２４に、例えば、他の３原色のフィルタ群（例えば、黄色，シアン，マゼンタなど）を用いてもよい。
また、カラーフィルタ２４に、４色以上の原色フィルタを備えるようにしてもよい。この場合、本表示装置に関する色再現範囲は、原色フィルタの種類数に応じた多角形となる。
【００９４】
なお、本実施の形態に示した、反射フィルタ範囲を透過フィルタ範囲よりも広くする点、および、透過フィルタ範囲や実色再現範囲比の好ましい範囲などについては、どのような数・色の原色フィルタを用いる場合でも、ＲＧＢの３原色のフィルタを用いる場合と同様に有効である。
【００９５】
また、上記では、反射モード（明所）と透過モード（暗所）とでの実色再現範囲の差を小さくするための構成について説明している。
以下では、反射モードと透過モードとでのホワイトバランスの差を小さくするための構成について説明する。
【００９６】
ホワイトバランスは、表示装置によって表示される白色の色相であり、表示装置にとって重要な表示性能のひとつである。
このホワイトバランスは、通常、色温度（白表示の色温度）で表現されることが多く、ＴＶ映像などを表示する装置では、６５００Ｋ以上のホワイトバランスが必要とされている。
【００９７】
一般的な液晶表示装置では、光は、偏光板、透明電極、カラーフィルタ、配向膜などの各層を通過する。このとき、前述の構成部材が黄色っぽい（黄色がかっている）ため、白色光を光源とすると、ホワイトバランスも黄味がかり、その色温度が低くなる。
【００９８】
このため、透過モードでのホワイトバランスの色温度を高めるために、バックライトとして、色温度の高い青みがかった光を発するものを用いるようになっている。
【００９９】
一方、反射モードでは、周囲光（太陽光や室内光）を表示に利用するため、バックライトの色を調整しても、ホワイトバランスの色温度を高められない。
そこで、従来では、反射領域と透過領域とでカラーフィルタの構成（色剤・膜厚）を変えて、反射モードのホワイトバランスを透過モードのそれに近づける方法が用いられている。
しかしながら、この方法では、反射領域と透過領域とでカラーフィルタを作り分ける必要があるため、製造プロセスが複雑化する。
【０１００】
従って、カラーフィルタの構成（色剤・膜厚）を変えずに、表示方式の分光特性を最適化することにより、反射モードと透過モードとでほぼ同等のホワイトバランスを実現することが好ましいといえる。
ここで、表示方式の分光特性とは、偏光板、位相差板、液晶層などからなる液晶表示方式の分光特性を意味する。
【０１０１】
従来の半透過型液晶表示装置では、反射領域のセル厚は透過領域のセル厚の１／２である場合が多い。これは、反射領域と透過領域とで、液晶表示方式の分光特性を一致させる（分光反射率と分光透過率とを等しくする）ためである。
【０１０２】
これに対し、本表示装置では、色温度の高いバックライト３６の光と色温度の低い周囲光（太陽光や室内光）との差を補償するように、反射領域ａおよび透過領域ｂの分光特性を設定している。
すなわち、本表示装置では、「反射領域ａおよび透過領域ｂのセル厚を調整することにより、分光反射率が最大となる光の波長を、分光透過率が最大となる光の波長よりも短くする」ことにより、バックライト３６と周囲光との色温度差を補償するようになっている。
【０１０３】
ここで、分光反射率とは、カラーフィルタ２４のない場合に、本表示装置に外部から入射した光の量と、反射領域ａで反射されて反射表示光として外部に出力される光の量との比である。
また、分光透過率とは、カラーフィルタ２４のない場合に、バックライト３６から照射される光の量と、透過領域ｂを透過して透過表示光として外部に出力される光の量との比である。
【０１０４】
図１１は、本表示装置における分光反射率（実線）および分光透過率（破線）と光の波長との関係を示すグラフである。
なお、このグラフに関する本表示装置では、反射領域ａと透過領域ｂとで、カラーフィルタ２４の構成（色剤・膜厚）を同様とした。
また、バックライト３６として、７７００ＫのＬＥＤを使用した。
【０１０５】
また、位相差板２２・３２をλ／４板とした。
そして、偏光板２３・３３および位相差板２２・３２の配置・構成を調整することによって、偏光板２３と位相差板２２との組み合わせが１つの円偏光板（表偏光板）としての機能するように、また、偏光板３３と位相差板３２との組み合わせが、他の１つの円偏光板（裏面偏光板）としての機能を有するように設定した。
また、上記の表偏光板（対向基板１１側）と裏面偏光板（画素基板１２側）とを、光学的に互いに直交する関係に配置した。
【０１０６】
また、対向基板１１および画素基板１２における液晶層１３との接触面には、図示しない配向膜が設けられているが、この配向膜として、垂直配向処理を施したものを使用した。
また、液晶層１３の液晶材料として、負の誘電率異方性を有し、０．０６５５の屈折率異方性を有するのネマチック液晶を使用した。
【０１０７】
従って、電極３４・３５に電圧を印加しない場合、液晶材料の液晶分子は、基板１１・１２に対して垂直に配向する。従って、この場合、液晶層１３は外部に光を透過しないため、本表示装置は黒表示を行うこととなる。
【０１０８】
一方、電極３４・３５に電圧を印加すると、液晶分子は、基板に対してほぼ平行に配向する。従って、この場合、液晶層１３は外部に光を透過するようになる。そして、カラーフィルタ２４のＲ〜Ｇフィルタの全てについて光を透過するように設定すれば、本表示装置は白表示を行うこととなる。
【０１０９】
ここで、液晶層１３による位相差をλ／２とするように、液晶層１３のセル厚を調整すれば、白表示を最も明るい状態とできる。
そこで、図１１に示したグラフを求めた本表示装置では、液晶層１３における透過領域ｂのセル厚を４．２μｍとし、液晶層１３の位相差がλ／２となるように設定している。
【０１１０】
一方、反射領域ａのセル厚は、１．８μｍ（２回透過で３．６μｍ換算）とした。すなわち、反射領域ａでは、液晶層１３による位相差をλ／２より小さくしている。
【０１１１】
図１１に示すように、上記のような設定では、分光反射率（実線）の最大となる波長（最大反射波長；５１５ｎｍ）が、分光透過率（破線）の最大となる波長（最大透過波長；５５０ｎｍ）よりも短くなる。
これにより、外部に出力される反射表示光のスペクトルを、短波長側（高温側）にシフトさせられる。
従って、本表示装置では、反射表示光のホワイトバランスを短波長側にずらし、透過表示光のホワイトバランスと同等の、６５００Ｋとすることが可能となっている。
【０１１２】
これにより、本表示装置では、バックライトと周囲光との色温度差を容易に補償できる。従って、自然画のＴＶ映像や写真といった緻密な色映像表示を行う場合でも、反射モードと透過モードとで、同様の表示品位を保つことが可能となっている。
【０１１３】
また、図１２は、上記した本表示装置の構成において、バックライト３６として１３８００ＫのＣＣＦＴ（冷陰極管）を使用した構成における、分光反射率（実線）および分光透過率（破線）と光の波長との関係を示すグラフである。
【０１１４】
また、この構成では、上記と同様に、液晶層１３における透過領域ｂのセル厚を４．２μｍとし、液晶層１３の位相差がλ／２となるように設定している。
また、反射領域ａのセル厚は、１．３μｍ（２回透過で２．６μｍ換算）とした。すなわち、上記と同様に、反射領域ａにおける液晶層１３による位相差を、λ／２より小さくしている。
【０１１５】
図１２に示すように、この場合も、分光反射率（実線）の最大となる波長（最大反射波長；４６０ｎｍ）が、分光透過率（破線）の最大となる波長（最大透過波長；５５０ｎｍ）よりも短くなる。
これにより、外部に出力される反射表示光のスペクトルを、短波長側（青側）にシフトさせられる。
従って、反射表示光のホワイトバランスを短波長側にずらし、透過表示光のホワイトバランスと同等の、８３００Ｋとすることが可能となっている。
【０１１６】
また、図１１，図１２に示した例では、反射モードと透過モードとのホワイトバランスを同様の温度（６５００Ｋ，８３００Ｋ）とするとしている。
しかしながら、両モードでのホワイトバランスの差が１０００Ｋ以下（より好ましくは５００Ｋ以下）であれば、本表示装置の視認性に問題はない。従って、ホワイトバランスの差を上記の範囲内とするように、最大反射波長および最大透過波長を調整することが好ましいといえる。
【０１１７】
また、図１１，図１２に示した例では、反射領域ａと透過領域ｂとで、液晶層１３の厚さ（セル厚）以外が同一構成であるとしている。
そして、両領域ａ・ｂでセル厚を適切に変えることで、最大反射波長を最大透過波長よりも短くし、ホワイトバランスを調整するようになっている。
【０１１８】
しかしながら、セル厚を制御することによって最大反射波長を最大透過波長よりも短くし、反射モードと透過モードとのホワイトバランスを上記の範囲内で等しくできる限り、両領域ａ・ｂで、位相差板２２・３２，偏光板２３・３３，カラーフィルタ２４の構成を変えてもよい。
【０１１９】
また、セル厚だけでなく、反射領域ａと透過領域ｂとで、位相差板２２・３２，偏光板２３・３３，カラーフィルタ２４の構成を変えることで、最大反射波長を最大透過波長よりも短くしてもよい。
このような構成でも、反射モードと透過モードとのホワイトバランスを、上記の範囲内で等しくすることが可能となる。
【０１２０】
また、本実施の形態では、本表示装置を、カラーフィルタ２４を備えた、カラー表示可能な液晶表示装置であるとしている。
しかしながら、これに限らず、本表示装置を、カラーフィルタ２４を備えない構成（モノクロの表示を行う液晶表示装置）としてもよい。
この場合でも、反射領域ａと透過領域ｂとで、液晶層１３のセル厚、あるいは、位相差板２２・３２，偏光板２３・３３，カラーフィルタ２４の構成を変えることで、最大反射波長を最大透過波長よりも短くし、ホワイトバランスを調整することが可能である。
【０１２１】
また、本実施の形態では、反射領域ａにおける電極として、光反射機能を有するＡｌなどの金属から構成された反射電極３４を用いるとしている。
しかしながら、これに限らず、反射領域ａの電極としては、透明電極３５と同様に、ＩＴＯなどの透明な導電材料からなる電極（透明電極）を用いてもよい。この場合、反射領域ａの透明電極上に、光反射機能を有する反射膜（反射材；Ａｌなどの金属から構成できる）を形成することとなる。
【０１２２】
また、本発明は、反射型および透過型のいずれの表示も可能な半透過型液晶表示装置に関するものである。従来のカラーフィルタの形成方法では、屋内での透過表示主体の色再現範囲と屋外での反射表示主体の色再現範囲は大きく異なっている。本発明は、上記の問題を解決し、屋内での透過表示主体の色再現範囲と屋内での反射表示主体の色再現範囲の差を小さくできる半透過型液晶表示装置を提供するものである。
【０１２３】
また、特許文献３の方式は、反射モードと透過モードとの実色再現範囲（色度）の違いを考慮したカラーフィルタの形成方法として、反射領域の一部に透過領域と同じ色剤が形成された領域と透過率の高い色剤が形成された領域を混在させて、反射領域の色度と透過領域の色度差を小さくする方式であるともいえる。
【０１２４】
また、本発明の目的は、屋内での透過表示主体の色再現範囲と屋内での反射表示主体の色再現範囲の差を小さくできる半透過型液晶表示装置を提供することにあるともいえる。
【０１２５】
また、従来、半透過型液晶表示装置は、屋内などの比較的暗い環境下では、バックライトを点灯し透過表示を主体に行い、屋外などの比較的明るい環境下では外光を利用する反射表示を主体に表示を行うことができ、屋内外を問わず、あらゆる光環境下での表示が可能であるため、携帯電話、ＰＤＡ、デジタルカメラ等のモバイル機器に多く搭載されてきている。これまでの半透過型液晶表示装置において、反射表示領域と透過表示領域のそれぞれの光学特性を整合させるために、反射表示領域の液晶層の厚みを透過表示領域の液晶層の厚みより小さく設定していた（特許文献１・２）。
【０１２６】
さらに、カラー表示した場合についても、反射型表示と透過型表示の色特性を整合させるために、反射型カラーフィルタ構成に関しては、透過領域と反射領域でカラーフィルタの色剤を変える，カラーフィルタの着色層の膜厚を変える，反射領域に透明カラーフィルタを形成する、等の方法をとっていた。この方式では反射領域と透過領域で、カラーフィルタ単体としての色度，色再現性を合せることはできるが、実際の表示装置の形態では、自然光とバックライトの光学特性がずれているなどして、屋内での透過表示主体の色特性（ホワイトバランス）は大きくずれていた。このことは、図形，文字などの表示に関しては、大きな問題にならないが、テレビ映像・写真といった自然画などの緻密な映像に対しては、十分対応できていなかった。また、従来の液晶表示装置では、屋内での透過表示主体の色特性と屋外での反射表示主体の色特性（ホワイトバランス）は大きく異なっている。また、本発明の目的は、上記の問題を解決し、屋内での透過表示主体の色特性と屋内での反射表示主体の色特性（ホワイトバランス）の差を小さくできる半透過型液晶表示装置を提供することにあるともいえる。
【０１２７】
また、半透過型液晶表示装置の場合、観察者が見る光は、バックライトを光源とした透過表示領域からの光と周囲光を光源とした反射表示領域からの光を加法的に混色された光である。従って、屋内などの比較的暗い光環境下では、バックライトによる透過表示の明るさが、周囲光による反射表示の明るさより明るいため、観察者がみる表示は、透過表示領域のみの表示にほぼ等しく、逆に、屋外などの強い周囲光が存在する光環境下では、周囲光による反射表示の明るさが、バックライトを点灯した場合でも透過表示の明るさよりもはるかに明るいため、観察者がみる表示は、反射表示領域のみの表示性能にほぼ等しくなる。つまり、観察者は、屋内では、透過表示を屋外では、反射表示を見ることにほぼ等しい。
【０１２８】
一般に、液晶表示装置の各色の色度はカラーフィルタ単体の色再現範囲と光シャッターとしての性能である表示のコントラスト比によりほぼ決まる。つまり、反射表示領域のカラーフィルタ単体（２回透過）の色度と透過表示領域のカラーフィルタ単体（１回透過）の色度が等しい場合であっても、それぞれの領域での表示のコントラスト比が異なる場合、表示される色度・色再現範囲は異なってくる。ここで、コントラスト比に関して言えば、液晶表示装置のコントラスト比は周囲の光環境により変化する。特に透過表示に関しては、暗室でのコントラスト比が１０００であっても、屋外では、ほとんどの場合１０以下に激減する。これは、液晶表示装置の不要な反射が原因であり、この不要な反射とは、液晶表示装置の最表面での反射と液晶表示装置の内部の反射である。最表面の反射は、通常観察側に設置されている表示装置の最表面と空気との界面で発生する界面反射であり、内部反射とは、液晶表示装置を構成している屈折率の異なる各層間での界面反射である。
【０１２９】
さらに、表示の光シャッターの機能が十分でない場合には、黒表示時に光洩れを生じ、このこともコントラスト比を低下させる原因となる。現在の透過表示の光シャッター機能は十分に高いため、黒表示時の光洩れは無視できる。一方、反射表示の場合は、この光洩れは無視することはできない。これは、観察者が、反射表示を見る場合、光源となる周囲光は、特殊な光環境の場合を除き、あらゆる方向から光が入射され、そのうち観察者方向に反射された光をみる。この場合、観察者が見る光は、液晶層をさまざまな光路で通過した光を見ることになるため、コントラスト比の低い表示を見ることになる。そのコントラスト比は、１０から５０程度であり、透過表示領域に比べて低い。ここで示した反射表示のコントラスト比の値は、拡散光源下での値である。つまり、あらゆる方向からほぼ均一な光が照射されるような光環境下での値である。
【０１３０】
一般的な半透過型液晶表示装置のコントラスト比は、屋内などの暗所では、透過表示の性能が支配的であり、そのコントラスト比は２００以上であり色再現範囲は、ほぼ透過表示領域のカラーフィルタ単体（１回透過）の性能が得られる。一方、屋外などの明所では、反射表示の性能が支配的であり、そのコントラスト比は１０から５０程度であり色再現範囲は、反射表示領域のカラーフィルタ単体（２回透過）よりも小さくなる。また、ここで、反射表示領域のカラーフィルタ単体の色度を２回透過の色度としている理由は、反射表示では光は必然的にカラーフィルタを２回通過するためである。
【０１３１】
以上に述べてきたように、反射表示領域と透過表示領域に形成されているカラーフィルタ単体での色再現範囲の差を小さくした場合であっても、暗所の透過表示のコントラスト比と反射表示のコントラスト比は大きく異なり、その結果、反射表示領域と透過表示領域の色再現範囲は大きく異なる。本発明は、前述したように、暗所における透過表示のコントラスト比と明所における反射表示のコントラスト比が、異なるという事実を考慮してカラーフィルタの設計を行ったものである。
【０１３２】
また、実際の液晶表示装置では、さまざまな特性のカラーフィルタが設置されており、このカラーフィルタは反射領域と透過領域とで分光特性の異なる場合が多い。しかしながら、液晶表示装置として反射表示と透過表示との各白表示の色温度の差が１０００Ｋ以下、好ましくは５００Ｋ以下であれば、視認性に問題はないので、上記の範囲内になるように、液晶層の分光特性を適宜調整すればよい。
【０１３３】
また、本発明を、以下の第１〜４反射透過両用型液晶表示装置として表現することもできる。すなわち、第１反射透過両用型液晶表示装置は、各画素領域内に外光を利用する反射表示領域とバックライトからの光を利用する透過表示領域が形成された反射透過両用型液晶表示装置において、反射表示領域に形成されている各カラーフィルタのＤ６５光源による２回透過のｘｙ色度座標を頂点とする多角形の面積が、透過表示領域に形成されている各カラーフィルタのＤ６５光源による１回透過による色度座標を頂点とする多角形の面積より大きい構成である。
【０１３４】
また、第２反射透過両用型液晶表示装置は、第１反射透過両用型液晶表示装置において、各画素領域内に外光を利用する反射表示領域とバックライトからの光を利用する透過表示領域が形成された反射透過両用型液晶表示装置において、透過表示領域に形成されている各カラーフィルタのＤ６５光源による１回透過のｘｙ色度座標を頂点とする多角形の面積が、０．０７９（あるいは０．０８）以上である構成である。また、第３反射透過両用型液晶表示装置は、第１あるいは第２反射透過両用型液晶表示装置において、反射表示領域の液晶層の分光反射率が最大となる波長が、透過領域の分光透過率が最大となる波長よりも短い構成である。
【０１３５】
上記の第１〜第３反射透過両用型液晶表示装置によれば、反射表示、透過表示ともほぼ同等の色再現範囲が得られ、屋外、屋内などのあらゆる光環境下での色再現範囲・ホワイトバランスの差を低減でき良好な表示が行える。
【０１３６】
また、第４反射透過両用型液晶表示装置は、反射表示領域の液晶層の分光反射率が最大となる波長が、透過領域の分光透過率が最大となる波長よりも短い構成である。これによれば、反射表示、透過表示ともほぼ同等の色再現範囲が得られ、屋外、屋内などのあらゆる光環境下での色再現範囲・ホワイトバランスの差を低減でき良好な表示が行える。
【産業上の利用可能性】
【０１３７】
本発明は、反射領域と透過領域との双方によって画像を表示する液晶表示装置について、好適に利用することの可能なものである。
【図面の簡単な説明】
【０１３８】
【図１】本発明の一実施形態にかかる半透過型液晶表示装置の概略構成を示す断面図である。
【図２】図１に示した表示装置において透過フィルタ範囲を０．１１４（ＮＴＳＣ比７２％）とした場合における、反射モード（明所）でのコントラスト比と、その実色再現範囲との関係を示すグラフである。
【図３】図２に示した関係が成立する場合であって、反射モードでのコントラスト比を３０とした場合における、反射モードでの実色再現範囲（破線）および透過モードでの実色再現範囲（実線）をｘｙ色度図上に示す説明図である。
【図４】図１に示した表示装置において透過フィルタ範囲を０．０４７（ＮＴＳＣ比３０％）とした場合における、反射モードでのコントラスト比と実色再現範囲との関係を示すグラフである。
【図５】図４に示した関係が成立する場合であって、反射モードでのコントラスト比を３０とした場合における、反射モードでの実色再現範囲（破線）および透過モードでの実色再現範囲（実線）をｘｙ色度図上に示す説明図である。
【図６】図１に示した表示装置において透過フィルタ範囲を０．０７９（ＮＴＳＣ比５０％）とした場合における、反射モードでのコントラスト比と実色再現範囲との関係を示すグラフである。
【図７】図６に示した関係が成立する場合であって、反射モードでのコントラスト比を３０とした場合における、反射モードでの実色再現範囲（破線）および透過モードでの実色再現範囲（実線）をｘｙ色度図上に示す説明図である。
【図８】図１に示した表示装置において透過フィルタ範囲を０．０９５（ＮＴＳＣ比６０％）とした場合における、反射モードでのコントラスト比と実色再現範囲との関係を示すグラフである。
【図９】図８に示した関係が成立する場合であって、反射モードでのコントラスト比を３０とした場合における、反射モードでの実色再現範囲（破線）および透過モードでの実色再現範囲（実線）をｘｙ色度図上に示す説明図である。
【図１０】透過フィルタ範囲と、実色再現範囲比（反射モードでの実色再現範囲を透過モードの実色再現範囲で割った値）との関係を示すグラフである。
【図１１】図１に示した表示装置（バックライトとしてＬＥＤを用いた場合）における、分光反射率（実線）および分光透過率（破線）と光の波長との関係を示すグラフである。
【図１２】図１に示した表示装置（バックライトとしてＣＣＦＴを用いた場合）における、分光反射率（実線）および分光透過率（破線）と光の波長との関係を示すグラフである。
【符号の説明】
【０１３９】
１１  対向基板
１２  画素基板
１３  液晶層
２１  ガラス基板
２２  位相差板
２３  偏光板
２４  カラーフィルタ
３１  ガラス基板
３２  位相差板
３３  偏光板
３４  反射電極（反射材）
３５  透明電極
３６  バックライト
３７  凸部
ＢＭ  ブラックマトリクス
ａ    反射領域
ｂ    透過領域
【図１】
2006010854.tif 000003
【図２】
2006010854.tif 000004
【図３】
2006010854.tif 000005
【図４】
2006010854.tif 000006
【図５】
2006010854.tif 000007
【図６】
2006010854.tif 000008
【図７】
2006010854.tif 000009
【図８】
2006010854.tif 000010
【図９】
2006010854.tif 000011
【図１０】
2006010854.tif 000012
【図１１】
2006010854.tif 000013
【図１２】
2006010854.tif 000014